(57)【要約】      （修正有）【課題】洗浄液を高圧空気と一緒に噴射するエアクリーナにおいて、高圧空気の噴射を止めたときに洗浄液がタンクに戻り、再度噴射を始めたときに洗浄液が高圧空気に混入するまでに時間がかかるのを防止できるエアークリーナーを提供する。【解決手段】エアクリーナの引金３を絞ると、高圧空気が高圧空気通路４、第二高圧空気通路７及び高圧空気噴射道８を通ってノズル１３から噴射される。このとき、第二洗浄液通路１１は高圧空気噴射道８に臨んでおり、ここを通る高圧空気の吸引効果によって高圧空気内に混入され、ノズル１３から噴射する。したがって、被洗浄物に対してノズル１３を向け、引金３を絞ると即座に洗浄液が混入された洗浄ができることになる。これにおいて、被洗浄物は本来のエンジンはもちろん、産業部品、車両、家具什器、衣服、靴等何でもよい。さらに、昨今の放射能の除染に使用すれば、より完全な除染ができる。【選択図】図１
0003176965.tif 000002
【実用新案登録請求の範囲】
【請求項１】
高圧空気源から供給される高圧空気でタンクに貯留された洗浄液を吸引してガンで噴出する洗浄液混入のエアクリーナにおいて、洗浄液の流通路に洗浄液がタンクへ逆流するのを防ぐ逆止弁を設けたことを特徴とする洗浄液混入のエアクリーナ。
【請求項２】
逆止弁がガンの洗浄液流入口に取り付けられてタンクと配管で連絡した請求項１の洗浄液混入のエアクリーナ。
【請求項３】
洗浄液の配管の周囲をガンの高圧空気流入口に接続されたホースで螺旋形に覆った請求項１又は２の洗浄液混入のエアクリーナ。
【考案の詳細な説明】
【技術分野】
【０００１】
本考案は、一般的にエンジンクリーナと称される洗浄液混入のエアクリーナに関するものである。
【背景技術】
【０００２】
エアークリーナは高圧空気をガンで噴射して対象物を清掃するものであり、一般的には高圧空気のみを噴出している。しかし、下記特許文献１に示されるように、ガンに高圧空気と液体との流路をそれぞれ形成し、高圧空気で液体を吸引して液体混じりの空気を噴射するものもある。しかし、ガンの噴射を止めた場合、洗浄液が充填した流路がタンクより上にある部分では洗浄液が逆流してタンクに戻る。このため、再度ガンを噴射すると、洗浄液が高圧空気に混入するまでにタイムラグがある。
【０００３】
元々、洗浄液はタンクとガンとを配管で繋いだだけのものであるから、これは仕方のないことで、タイムラグもわずかであるから、あまり問題にはならなかった。しかし、高圧空気の噴射と同時に洗浄をする必要がある場合、つまり、洗浄液を必ず高圧空気に混入させなければならない厳密な洗浄を必要とする場合は大いに問題がある。
【先行技術文献】
【特許文献】
【０００４】
【特許文献１】特開２００１−３００４４２号公報
【考案の概要】
【考案が解決しようとする課題】
【０００５】
本考案が解決しようとする課題は、高圧空気の噴射と同時に洗浄液も噴射できるように、つまり、厳密な意味での洗浄ができるようにしたものである。
【課題を解決するための手段】
【０００６】
以上の課題の下、本考案は、請求項１に記載した、高圧空気源から供給される高圧空気でタンクに貯留された洗浄液を吸引してガンで噴出する洗浄液混入のエアクリーナにおいて、洗浄液の流通路に洗浄液がタンクへ逆流するのを防ぐ逆止弁を設けたことを特徴とする洗浄液混入のエアクリーナを提供するとともに、これにおいて、請求項２に記載した、逆止弁がガンの洗浄液流入口に取り付けられてタンクと配管で連絡した手段、請求項３に記載した、洗浄液の配管の周囲をガンの高圧空気流入口に接続されたホースで螺旋形に覆った手段を提供する。
【考案の効果】
【０００７】
請求項１の考案によれば、逆止弁の存在によってガン内の洗浄液の逆流はもちろんのこと、配管内の洗浄液も配管内が負圧になることで逆流はしない。したがって、高圧空気の噴射と同時に洗浄液も噴射する。請求項２の手段によれば、逆止弁の取付けが簡単で配管も容易である。請求項３の手段によれば、洗浄液の配管は高圧空気のホースで保護されることになり、傷付き等もないし、薄いもので足りる。
【図面の簡単な説明】
【０００８】
【図１】ガンの一部断面側面図である。
【考案を実施するための形態】
【０００９】
以下、本考案の実施の形態を図面を参照して説明する。図１は本考案に係る洗浄液混入のエアクリーナを構成するガンの一部断面側面図であるが、周知のように、ガンは、本体１の下に軸２を中心に回動する引金３を有しているものである。これにおいて、本体１の中には高圧空気通路４と洗浄液通路５とを有している。
【００１０】
高圧空気通路４の途中には引金３で操作される開閉弁機構６が設けられており、これで高圧空気の開閉が制御される。開閉弁機構６が開通したときには中心側に設けられる第二高圧空気通路７を経て本体１の先端側に延びる高圧空気噴射道８に供給されるようになっている。ところで、この開閉弁機構６も周知であり、要は、引金３を絞るとスプール９が押され（スプリング１０で抵抗を与えられている）、高圧空気通路４と第二高圧空気通路７が連通するものである。
【００１１】
洗浄液通路５はこれと連通する第二洗浄液通路１１に流量調整弁１２を介して連絡しており、第二洗浄液通路１１は高圧空気噴射道８の外周側に設けられており、先端のノズル１３で合流するようになっている。また、高圧空気通路４はコンプレッサ等の高圧空気供給源（図示省略）にホース１４で連絡されており、洗浄液通路５にはビニールチューブ等の配管１５が取り付けられていてタンク（図示省略）にフィルター付きの吸い口１６を浸漬している。
【００１２】
本考案は、洗浄液通路５の流通路に洗浄液がタンクに逆流するのを防ぐ逆止弁１７を設けたものである。逆止弁１７を設ける個所はどこでもよいが、ガンの本体１に形成される洗浄液流入口に設け、これとタンクとを配管１５で連絡するのが簡単である。これにより、噴射を止めた場合、洗浄液タンクが低い位置にあっても、洗浄液は逆止弁１７よりタンク側には移動しない。具体的には、逆止弁１７の下流側（ノズル１３側）に存在する洗浄液は文字どおり遮断され、上流側（タンク側）に存在する洗浄液については洗浄液通路５が負圧になることで逆流しない。
【００１３】
加えて、配管１５の周囲をホース１４を螺旋形に巻いて配管１５を保護するのが好ましい。こうすると、配管１５をホース１４で保護でき、配管１５が直接物に触れて傷付いたりしない。したがって、配管１５を薄いビニールチューブのようなもので構成できる。
【００１４】
以上により、引金３を絞ると、高圧空気が高圧空気通路４、第二高圧空気通路７及び高圧空気噴射道８を通ってノズル１３から噴射される。このとき、第二洗浄液通路１１は高圧空気噴射道８に臨んでおり、ここを通る高圧空気の吸引効果によって高圧空気内に混入され、ノズル１３から噴射する。したがって、被洗浄物に対してノズル１３を向け、引金３を絞ると即座に洗浄液が混入された洗浄ができることになる。これにおいて、被洗浄物は本来のエンジンはもちろん、産業部品、車両、家具什器、衣服、靴等何でもよい。さらに、昨今の放射能の除染に使用すれば、より完全な除染ができる。
【符号の説明】
【００１５】
１    本体
２    軸
３    引金
４    高圧空気通路
５    洗浄液通路
６    開閉弁機構
７    第二高圧空気通路
８    高圧空気噴射道
９    スプール
１０  スプリング
１１  第二洗浄液通路
１２  流量調整弁
１３  ノズル
１４  ホース
１５  配管
１６  吸い口
１７  逆止弁
【図１】
0003176965.tif 000003